(57)【要約】【課題】  屋上等の早期緑化を可能にするために、種子の飛散および乾燥を防止して前記種子の発芽を促進させることができる屋上等緑化用植生マットおよび屋上等緑化用人工地盤を提供すること。【解決手段】  屋上等緑化用植生マットは、それぞれが種子を含む土塊を受け入れる複数の凹所を上面に有する植生層を含み、前記植生層は繊維質材料等と土との混合物からなる。また、屋上等緑化用人工地盤は、給水口と排水口とを有する水溜と、少なくとも底部が前記水溜内にある透水材料層と、該透水材料層の上に配置された、それぞれが種子を含む土塊を受け入れる複数の凹所を上面に有する植生層とを含み、前記植生層は繊維質材料等と土との混合物からなる。【選択図】図４
2007049907.tif 000002
【特許請求の範囲】
【請求項１】
それぞれが種子を含む土塊を受け入れる複数の凹所を上面に有する植生層を含み、前記植生層は繊維質材料等と土との混合物からなる、屋上等緑化用植生マット。
【請求項２】
前記植生層における前記繊維質材料等と前記土との重量比は１：５ないし２：１である、請求項１に記載の屋上等緑化用植生マット。
【請求項３】
給水口と排水口とを有する水溜と、少なくとも底部が前記水溜内にある透水材料層と、該透水材料層の上に配置された、それぞれが種子を含む土塊を受け入れる複数の凹所を上面に有する植生層とを含み、前記植生層は繊維質材料等と土との混合物からなる、屋上等緑化用人工地盤。
【請求項４】
前記透水材料層は不織布またはスポンジからなる、請求項３に記載の屋上等緑化用人工地盤。
【発明の詳細な説明】
【技術分野】
【０００１】
本発明は、建築物の屋上または壁面（以下「屋上等」という。）に植物を生育させて屋上等を緑化するための屋上等緑化用植生マットおよびこれを用いる屋上等緑化用人工地盤に関する。
【背景技術】
【０００２】
日射による熱が建築物の屋上等に蓄積され、その後大気中へ放出されることにより、都市部の気温が周辺地域に比べて高くなるヒートアイランド現象が引き起こされ、問題となっている。そこで、ヒートアイランド現象を抑制するための対策の1つとして、屋上等に植物を生育させて屋上等を緑化することが行われている。屋上等の緑化は、近年、国や一部地方自治体が屋上緑化に関する補助金制度を整備したことに伴い、急速に普及している。特に、東京都が条例により一定基準を超える敷地面積を有する新たな建築物について屋上を緑化することを義務付けたことにより、屋上等緑化の需要はより一層高くなっている。
【０００３】
従来、屋上等の緑化のために生育させる植物には散水が必要であり、散水作業に手間を要した。そこで、散水を行うことなく植物に効率よく給水するための屋上緑化用の人工地盤が提案された。前記人工地盤は、給水源に接続された透水材料層と、該透水材料層の上に配置された植生層とを有する。この植生層は、タイルの粉砕物を焼結することにより形成されたもので、内部に毛細管現象が生じるような微細な連続空間が無数に形成されている（例えば、特許文献１参照。）。これにより、散水を行わなくても、前記植生層が前記透水材料層に供給された水を毛細管現象により吸い上げることによって、前記植生層に生育させる植物に効率よく給水することができる。
【特許文献１】特開２００３−１０５９３２号公報
【発明の開示】
【発明が解決しようとする課題】
【０００４】
ところで、屋上等は強風に曝されるため、屋上等に蒔かれる種子は飛散したり、乾燥しやすいという問題がある。これは屋上等の緑化を妨げる。しかし、前記人工地盤には前記種子の飛散を防止する対策は講じられていない。また、屋上等の早期緑化を実現するためには、強風下においても前記種子が乾燥しないように、前記種子への給水をより確実にすることが望ましい。
【０００５】
本発明の目的は、屋上等の早期緑化を可能にするために、前記種子の飛散および乾燥を防止して前記種子の発芽を促進させることができる屋上等緑化用植生マットおよび屋上等緑化用人工地盤を提供することである。
【課題を解決するための手段】
【０００６】
本発明は、上面に複数の凹所を有する植生層を用いることにより、前記種子の飛散および乾燥を防止する。
【０００７】
本発明に係る屋上等緑化用植生マットは、それぞれが種子を含む土塊を受け入れる複数の凹所を上面に有する植生層を含み、前記植生層は繊維質材料等と土との混合物からなる。各凹所内に前記土塊を配置することによって、その飛散、すわなち前記土塊に含まれる前記種子の飛散を防止することができる。
【０００８】
また、前記植生層が前記繊維質材料等と前記土との混合物からなることにより、前記繊維質材料等が核となって土が固まりやすくなるため、前記植生層の成形が容易となる。また、前記植生層は、水の通り道となる比較的多くの隙間を有するため、前記種子への給水が容易となる。前記植生層の下面に水が供給されるとき、該水は毛細管現象により前記植生層の内部へ吸い上げられる。前記水は前記植生層を経て前記土塊に供給される。各凹所内に配置された前記土塊と前記植生層との接触面は比較的広いため、前記種子への確実な給水が可能となる。前記植生層における前記繊維質材料等と前記土との重量比は１：５ないし２：１とすることができる。
【０００９】
本発明に係る屋上等緑化用人工地盤は、給水口と排水口とを有する水溜と、少なくとも底部が前記水溜内にある透水材料層と、該透水材料層の上に配置された、それぞれが種子を含む土塊を受け入れる複数の凹所を上面に有する植生層とを含み、前記植生層は繊維質材料等と土との混合物からなる。前記水溜に給水して前記透水材料層に水が供給されることにより、該水は前記植生層の下面に接し、毛細管現象により前記植生層の内部へ吸い上げられる。前記水は前記植生層と前記土塊との接触面を経て前記土塊へ供給され、これにより前記種子の乾燥を防止することができる。前記透水材料層には不織布またはスポンジを用いることができる。
【発明の効果】
【００１０】
本発明によれば、上面に複数の凹所を有する植生層を用いることにより、前記種子の飛散および乾燥を防止することができる。これにより前記種子の発芽を促進して屋上等の早期緑化を可能にすることができる。
【発明を実施するための最良の形態】
【００１１】
図１に示すように、屋上等緑化用の植生マット１０は植物を生育させるための植生層１２からなる。植生層１２の平面形状は、一辺が５０ｃｍ程度の正方形であるが、正方形の例に代え、長方形、三角形、他の多角形、円形、楕円形でもよい。植生層１２の厚さは５ｃｍないし１０ｃｍ程度である。植生層１２は、その上面に配置された複数の凹所１４を有する。各凹所には、種子を含む土塊１６が受け入れられる。
【００１２】
土塊１６は、前記種子と土とを混合して団子状に成形したものであり、直径が５ｍｍないし３０ｍｍ程度である。前記種子が土塊１６内に含まれることにより、前記種子の乾燥を防止する。土塊１６の成形は、特許文献２ないし４で知られる混合装置のいずれかによることができる。
【特許文献２】特開２０００−２１０５４８
【特許文献３】特開２０００−１７６３０２
【特許文献４】特開２０００−２３８０３０
【００１３】
植生マット１０が凹所１４を有することにより、各凹所内に土塊１６を配置して、土塊１６の飛散、すなわち土塊１６に含まれる前記種子の飛散を防止することができる。これにより、強風に曝される屋上等においても前記種子の飛散を防止することができる。
【００１４】
また、植生マット１０が凹所１４を有することにより、各凹所内に土塊１６を配置して植物の位置を決めることができる。例えば、等間隔で設けられた凹所１４のそれぞれに土塊１６を配置することにより、等間隔で植物を生育させることができる。近年、一種類の植物を一面に生育させるという単調な屋上緑化が多い中で、利用者の嗜好を反映した屋上緑化が求められている。凹所１４の配置を変えることや土塊１６を配置する凹所を選択することにより、利用者の好みに応じて植物を様々な配置で生育させることができる。また、土塊１６毎に混入する種子を変えることにより、利用者の好きな植物を、利用者の好きな配置で生育させることができる。
【００１５】
植生層１２には土と繊維質材料等、すなわちもみ殻のような殻、おが屑、竹や木材を細片化したもの、鋼繊維、ガラス長繊維等のいずれか（以下「繊維質材料等」という。）が含まれる。前記繊維質材料等は、長さが２ｍｍないし１０ｍｍ程度のものが好ましい。植生層１２に用いる前記繊維質材料等は一種類でもよいし、複数の種類でもよい。植生層１２に含まれる前記土とは、土または土の軽量化のために用いられる土壌改良剤をいう。前記土壌改良剤には、パーライト、バーミキューライト、多孔性材料等がある。植生層１２における前記繊維質材料等と前記土との重量比は１：５ないし２：１である。
【００１６】
植生層１２が前記繊維質材料等と前記土との混合物からなることにより、前記繊維質材料等が核となって土が固まりやすくなるため、植生層１２の成形が容易となる。また、植生層１２は、水の通り道となる比較的多くの隙間を有するため、前記種子への給水が容易となる。植生層１２の下面に水が供給されるとき、該水は毛細管現象により植生層１２の内部へ吸い上げられ、植生層１２を経て土塊１６に供給される。各凹所内に配置される土塊１６と植生層１２との接触面は比較的広いため、前記種子への確実な給水が可能となる。もみ殻のような殻、おが屑、竹や木材を細片化したもの等の有機質繊維または鋼繊維は時間の経過とともに腐って土と一体化するため、植生層１２に生育する植物にとって好ましい。前記繊維質材料等は、土塊１６の材料としても用いることができる。土塊１６が前記繊維質材料等を含むことにより、土塊１６の保水性を向上させて前記種子の乾燥を防止することができる。また、前記繊維質材料等が核となり土が固まりやすくなることによって、土塊１６の成形を容易にすることができる。
【００１７】
植生層１２を作るとき、まず、前記繊維質材料等と前記土との混合物に肥料と接着剤とを添加する。前記土と前記接着剤との重量比は１：１から１：０．２とし、前記接着剤には、ＰＶＡ（ポリビニルアルコール）系接着剤、アクリル樹脂エマルジョン系接着剤、酢酸ビニル樹脂エマルジョン系接着剤、でんぷんのり等を使用する。その後、前記繊維質材料等と前記土と前記肥料と前記接着剤との混合物を加圧によりマット状に成形する。植生層１２の成形は、５ｋｇｆ／ｃｍ２以上の圧力で行う。
【００１８】
植生層１２への給水は、図２に示すように、植生層１２を屋上のスラブ１８上に敷かれた非透水性シート２０の上に設置して植生層１２に散水することにより行う。非透水性シート２０はスラブ１８への漏水を防止する。また、植生層１２への給水は、図３に示すように、植生層１２を水溜２２の中に設置することにより行うこともできる。植生層１２を水溜２２の中に設置することにより植生層１２に水が供給され、該水は毛細管現象により植生層１２の内部へ吸い上げられ、土塊１６に供給される。
【００１９】
図４には屋上等緑化用の人工地盤２４が示され、該人工地盤は、屋上のスラブ２６上に設置された水溜２８と、該水溜の中に設置された透水材料層３０と、該透水材料層上に設置された植生層１２とを備える。
【００２０】
水溜２８は非透水性材料からなり、底部２８ａと、該底部と一体をなす側部２８ｂとを有し、内部に水を貯め、スラブ２６への漏水を防止する。水溜２８は循環ポンプに接続された配管（図示せず）がそれぞれに取り付けられた給水口３２および排水口３４を有し、前記循環ポンプを用いて水溜２８への給排水を行うことができる。また、水溜２８は水道に接続された配管が取り付けられた給水口３６を有し、水溜２８内に水道水を供給することができる。
【００２１】
透水材料層３０は少なくとも底部が水溜２８内にあり、植生層１２に水を供給する。透水材料層３０は、不織布、スポンジ等の透水性材料からなり、厚さは２ｃｍないし３ｃｍ程度である。透水材料層３０は、前記透水性材料からなる例に代え、前記土壌改良剤を敷き詰めたものであってもよい。植生層１２は、図１に示した例と同じものであり、上面に複数の凹所１４を有し、前記繊維質材料等と前記土とを含む。人工地盤２４は、植生層１２と透水材料層３０とが別物であっても、一体化されたものであってもよい。
【００２２】
前記循環ポンプの運転時、一方の配管から給水口３２を経て水溜２８に水が供給される。前記水は透水材料層３０を経て給水口３２側（図面右方）から排水口３４側（図面左方）へ流れ、排水口３４を経て他方の配管から排出され、前記循環ポンプへ戻る。これにより、前記水は植生層１２の下面に供給され、毛細管現象により植生層１２の内部へ吸い上げられる。前記水は植生層１２と土塊１６との接触面を経て土塊１６へ供給され、前記種子の乾燥を防止する。前記循環ポンプにより水を循環させることにより、水の滞留を防ぎ、常に酸素を多く含んだ水を供給することができる。また、散水を行うことなく効率よく植物へ給水することができ、人工地盤２４の管理作業を軽減することができる。前記循環ポンプは、太陽エネルギーにより稼働させることによって省エネルギー化を図ることができる。
【００２３】
水溜２８内の水が不足するとき、給水口３６から水道水を水溜２８に供給する。このとき、前記循環ポンプが設けられた水槽（図示せず）に予め設置された水位計と連動させて水溜２８への給水を行うことによって水溜２８の水位を一定に保つことができ、人工地盤２４の管理作業の軽減を図ることができる。人工地盤２４は、前記循環ポンプにより水を循環させる例に代え、水溜２８への給水を水道水により行い、排水口３４から排出される水を循環させないこともできる。水溜２８への給水方法は、降雨、散水、水溜２８の側壁を越えて水を流入させることであってもよい。
【００２４】
人工地盤２４が単体で配置された図４に示した例に代え、図５に示す例では、建築物の壁面（図示せず）に沿って複数の人工地盤３８が段違いに配置されている。最上段の人工地盤３８ａの給水口３２と最下段の人工地盤３８ｂの排水口３４とのそれぞれに、循環ポンプに接続された配管（図示せず）が取り付けられている。前記循環ポンプを運転すると、水が一方の配管から最上段の人工地盤３８ａの水溜２８に供給される。前記水は透水材料層３０を通り、水溜２８の側壁を越えて、上から２段目の人工地盤３８ｃの水溜２８に流れる。前記水は、最上段の人工地盤３８ａの場合と同様に、透水材料層３０を通り、その下の人工地盤に流れる。このように、前記水は次々と下の人工地盤に供給され、最下段の人工地盤３８ｂの排水口３４から排出された前記水は、配管を経て前記循環ポンプに戻る。これにより、建築物の壁面を緑化することができる。
【００２５】
本発明によれば、上面に複数の凹所１４を有する植生層１２を用いることにより、前記種子の飛散および乾燥を防止することができる。これにより前記種子の発芽を促進して屋上等の早期緑化を可能にすることができる。
【図面の簡単な説明】
【００２６】
【図１】本発明に係る屋上等緑化用植生マットの斜視図。
【図２】本発明の第１の実施例に係る屋上等緑化用植生マットの断面図。
【図３】本発明の第２の実施例に係る屋上等緑化用植生マットの断面図。
【図４】本発明の第１の実施例に係る屋上等緑化用人工地盤の断面図。
【図５】本発明の第２の実施例に係る屋上等緑化用人工地盤の断面図。
【符号の説明】
【００２７】
１０    植生マット
１２    植生層
１４    凹所
１６    土塊
２４    人工地盤
２８    水溜
３０    透水材料層
３２、３６    給水口
３４    排水口
【図１】
2007049907.tif 000003
【図２】
2007049907.tif 000004
【図３】
2007049907.tif 000005
【図４】
2007049907.tif 000006
【図５】
2007049907.tif 000007